(57)【特許請求の範囲】
【請求項１】
床下空間を空調空気の供給用チャンバとし、床面に設けた吹出口から前記床下空間の空調空気を室内に供給する空調空気床吹き出し装置において、
前記供給用チャンバ内に前記吹出口に連なる吹き出し通路を設け、この吹き出し通路内に空調空気を旋回させる旋回流形成板を設け、この旋回流形成板を吹き出し通路の軸方向に沿って位置変更可能とし、吹き出し通路における旋回流形成板の位置により吹き出し通路の周壁と旋回流形成板との隙間寸法が変化することを特徴とする空調空気床吹き出し装置。
【請求項２】
床下空間を空調空気の供給用チャンバとし、床面に設けた吹出口から前記床下空間の空調空気を室内に供給する空調空気床吹き出し装置において、
（イ）上下開口の筒状の周壁を備え、この周壁の内部が吹き出し通路になっていて、上部を吹出口に連結固定し下部を前記供給用チャンバ内に挿入させたケーシングと、
（ロ）前記ケーシングの内部にケーシングの軸方向へ移動可能に設置され、ケーシング内を流れる空調空気に旋回流を生じせしめる旋回流形成板と、
（ハ）前記旋回流形成板を前記ケーシングの軸方向に沿って移動せしめる移動機構と、
を備え、前記ケーシングの周壁が、前記旋回流形成板の軸方向移動により旋回流形成板との隙間寸法を変化させる形状に形成されていることを特徴とする空調空気床吹き出し装置。
【請求項３】
前記ケーシングの周壁は吹出口に接近するにしたがって漸次拡径するテーパ状に形成されていることを特徴とする請求項２に記載の空調空気床吹き出し装置。
【請求項４】
前記ケーシングの周壁は、吹出口側に大径の開口を備えた大径部を有し、この大径部の下部には吹き出し通路の内側に突出する段部が環状に設けられ、この段部の内側には前記開口より小径の開口が設けられており、前記旋回流形成板はその外周縁と吹き出し通路の大径部内壁面との間に隙間を有して該大径部内に収容され前記段部に対して接近離反可能に設けられていることを特徴とする請求項２に記載の空調空気床吹き出し装置。
【請求項５】
前記旋回流形成板は、略径方向に複数形成された透孔の周縁に羽根を設けてなることを特徴とする請求項２から４のいずれかに記載の空調空気床吹き出し装置。
【請求項６】
前記吹出口が、透孔を有するカバーによって覆われていること特徴とする請求項２から５のいずれかに記載の空調空気床吹き出し装置。
【請求項７】
前記カバーの透孔が平面視で同心円状の円弧形に形成されていること特徴とする請求項６に記載の空調空気床吹き出し装置。
【請求項８】
前記移動機構は、前記ケーシングの内部に設けられてケーシングに固定された上下方向に延びるガイドピンと、このガイドピンを遊挿せしめる前記旋回流形成板に設けられたガイド孔と、前記ケーシングに回転自在に支持され外周面に雄ネジが形成されたネジロッドと、前記旋回流形成板の中央に設けられ前記ネジロッドの雄ネジに螺合するネジ孔と、から構成されていることを特徴とする請求項２から５のいずれかに記載の空調空気床吹き出し装置。
【請求項９】
前記吹出口が吹き出し孔を有するカバーによって覆われており、前記移動機構のネジロッドの下端が前記ケーシングに回動自在に支持され、ネジロッドの上端が前記カバーの中央に設けられた孔に遊挿されて露出しており、室内側からネジロッドを回動操作可能に構成されていることを特徴とする請求項８に記載の空調空気床吹き出し装置。
【請求項１０】
前記ケーシングの下部開口にフィルタが設けられていることを特徴とする請求項１から９のいずれかに記載の空調空気床吹き出し装置。
【発明の詳細な説明】
【０００１】
【発明の属する技術分野】
本発明は、床下空間を空調空気の供給用チャンバとして利用する空調システムにおいて、加圧方式で供給された空調空気を室内に供給すべく床面に設ける吹出口の構造に関するものである。
【０００２】
【従来の技術】
近年、ＯＡ機器の普及に伴って室内の配線量が増加し、また配置される事務機器の変更、増設に対する床及び配線の変更、拡張性が重要となってきている。係る観点から、最近の事務所建設では、電力、通信の各種配線を床下に敷設するフリーアクセス・フロアを採用するケースが半分以上を占めている。
【０００３】
床吹き出し空調システムは、そのようにフロア配線のため床下空間を空調空気の供給用のチャンバとして利用するものであり、注目を浴びている。
ところで、床下空間を空調空気の供給用チャンバとして利用する場合、歩行感や、室内の高さに起因する圧迫感、建設費等を鑑みると、チャンバとなる床下空間の高さはなるべく低い方が好ましい。そこで、フリーアクセス・フロアを採用する場合は、床下空間の高さが１００ｍｍ以下の低床式のものが大半である。
【０００４】
【発明が解決しようとする課題】
しかしながら、今までは、１００ｍｍ以下の低床式のフリーアクセス・フロアにおける床下空間を空調吹き出しのエア・チャンバとして利用する床吹き出し空調システムは、技術的な問題から採用されていなかった。それは以下の理由による。
【０００５】
床下チャンバの高さが低くなると、床下チャンバ内で生じる動圧／静圧の変換や渦の発生による圧力損失に起因した圧力分布が発生し、そのままでは空調空気を各吹出口から均一に吹き出させることが不可能である。
【０００６】
そのため従来の加圧式の床吹き出し空調システムでは、各吹出口に各風量調節のためのダンパを設け、各吹出口毎にダンパの開度を個別に調節することによって、各吹出口の風量を調節する必要があった。
【０００７】
しかしながら、多数設けられている吹出口の各ダンパを個々に調節して各吹出口の風量の均一化を図ることは事実上困難であった。
また、個々の吹出口にファンを設置する方法もあるが、これには、低い床下空間にファンを設置することの困難性や、システムが複雑化することに起因する問題があり、簡略な加圧方式の床吹き出し空調システムの開発が望まれていた。
【０００８】
また、居住地域間に直接空調空気を供給する床吹き出し空調システムでは、ドラフト感を改善するために吹き出し方向の調節機能が必要である。更に、温熱環境を良好に保つためには、冷風吹き出し時・温風吹き出し時の各々の場合に気流方向を調整する機能が必要である。
【０００９】
しかしながら、従来の床吹き出しシステムでは、フリーアクセス・フロアの主流である１００ｍｍ以下の低床に適用可能で、且つ実践的で効果的な吹き出し方向の切替機能を持ったものがなかった。
【００１０】
本発明は、このような従来の技術の問題点に鑑みてなされたものであり、低床の床吹き出し空調システムにも利用可能で、簡単な構造ながら吹き出し方向を効果的に切り換えることができる空調空気の床吹き出し装置を提供することを目的とする。
【００１１】
【課題を解決するための手段】
本発明は前記課題を解決するために、以下の手段を採用した。
本発明は、床下空間を空調空気の供給用チャンバとし、床面に設けた吹出口から前記床下空間の空調空気を室内に供給する空調空気床吹き出し装置において、前記供給用チャンバ内に前記吹出口に連なる吹き出し通路を設け、この吹き出し通路内に空調空気を旋回させる旋回流形成板を設け、この旋回流形成板を吹き出し通路の軸方向に沿って位置変更可能とし、吹き出し通路における旋回流形成板の位置により吹き出し通路の周壁と旋回流形成板との隙間寸法が変化することを特徴とする空調空気床吹き出し装置である。
【００１２】
吹き出し通路の一端の開口から流入した空調空気の一部は旋回流形成板の内部に流入して旋回した気流となり、残りの空調空気は旋回流形成板の外周縁外側の吹き出し通路に流入して直進する気流となる。
【００１３】
また、旋回流形成板の位置を変化させることにより、吹き出し口から垂直に直進する気流の空調空気の風量を調整し、この垂直に直進する空調空気と干渉して旋回する気流の空調空気の広がりを任意に制限することができる。
【００１４】
即ち、前記隙間寸法を小さくしまたはゼロにした場合には、前記隙間を通過する気流の風量は少ないか無いため、吹き出し通路の円周方向に旋回する気流の速度成分は殆ど影響を受けない。その結果、旋回する気流の空調空気は吹出口を出た後にコアンダ効果により床面に付着するように床面に沿って放射状に流れる。
【００１５】
一方、前記隙間寸法を大きくした場合には、前記隙間を通過する気流の風量は多いため、そのまま上昇気流となって床面に対してほぼ垂直に流れる。また、旋回流形成板によって旋回流となった空調空気は、床面に対してほぼ垂直に流れる前記気流と干渉して吹き出し通路の垂直方向の速度成分が大きくなる。その結果、吹出口を出た後も残った円周方向の速度成分で旋回しながら床面に対してほぼ垂直に流れる。
【００１６】
したがって、旋回流形成板の上下方向位置を変えることによって、吹出口から室内に吹き出される空調空気の流れ方向を所望の方向に設定することができる。尚、前記周壁の形状としては、テーパ状、直線または円弧状を例示することができる。
【００１７】
また、本発明は、床下空間を空調空気の供給用チャンバとし、床面に設けた吹出口から前記床下空間の空調空気を室内に供給する空調空気床吹き出し装置において、（イ）上下開口の筒状の周壁を備え、この周壁の内部が吹き出し通路になっていて、上部を吹出口に連結固定し下部を前記供給用チャンバ内に挿入させたケーシングと、（ロ）前記ケーシングの内部にケーシングの軸方向へ移動可能に設置され、ケーシング内を流れる空調空気に旋回流を生じせしめる旋回流形成板と、（ハ）前記旋回流形成板を前記ケーシングの軸方向に沿って移動せしめる移動機構と、を備え、前記ケーシングの周壁が、前記旋回流形成板の軸方向移動により旋回流形成板との隙間寸法を変化させる形状に形成されていることを特徴とする空調空気床吹き出し装置である。このように構成した場合も、前記と同様の作用をなす。
【００１８】
前記ケーシングの周壁は吹出口に接近するにしたがって漸次拡径するテーパ状に形成することができる。
吹き出し通路の周壁をテーパー状に形成した場合には、旋回流形成板の吹き出し通路内における上下方向位置を変えると、周壁と旋回流形成板の外周縁との隙間寸法が変化する。即ち、旋回流形成板を吹き出し通路の下部に近い側に位置させた時には前記隙間寸法は小さくなり、吹き出し通路の上方に位置させた時には前記隙間寸法は大きくなる。
【００１９】
前記隙間寸法を小さくした場合には、前記隙間を通過する気流が小さいため、吹き出し通路の円周方向に旋回する気流の速度成分が大きくなる。その結果、この空調空気は吹出口を出た後にコアンダ効果によって床面に付着するように床面に沿って放射状に流れる。
【００２０】
一方、前記隙間寸法を大きくした場合には、吹き出し通路の周壁に沿う気流はそのまま上昇気流となって床面に対してほぼ垂直に流れる。そして、旋回流形成板によって旋回流となった空調空気は、前記隙間を通過した後に前記吹き出し通路の周壁に沿って上昇する気流と干渉して吹き出し通路の垂直方向の速度成分が増加する。その結果、吹出口を出た後も残った円周方向の速度成分で旋回しながら床面に対してほぼ垂直に流れる。
【００２１】
したがって、旋回流形成板の上下方向位置を変えることによって、吹出口から室内に吹き出される空調空気の流れ方向を所望の方向に設定することができる。
【００２２】
また、前記ケーシングの周壁は、吹出口側に大径の開口を備えた大径部を有し、この大径部の下部には吹き出し通路の内側に突出する段部を環状に設け、この段部の内側には前記開口より小径の開口を設けて構成し、前記旋回流形成板はその外周縁と吹き出し通路の大径部内壁面との間に隙間を有して該大径部内に収容し、前記段部に対して接近離反可能に設けることができる。
【００２３】
吹き出し通路の小径の開口から流入した空調空気の一部は旋回流形成板の内部に流入して旋回した空調空気を発生し、残りの空調空気は旋回流形成板の外周縁の外側の隙間に流入して直進する空調空気を発生させる。
【００２４】
また、旋回流形成板の位置を変化させることにより、段部と旋回流形成板との離間寸法を変化させて吹き出し口から垂直に直進する空調空気の風量を調整することができるとともに、旋回する空調空気の広がりを制限することができる。
【００２５】
即ち、旋回流形成板の上下方向位置を変えることによって、吹出口から室内に吹き出される空調空気の流れ方向を所望の方向に設定することができる。
【００２６】
また、前記旋回流形成板は、略径方向に複数形成された透孔の周壁に羽根を設けて構成することが可能である。
羽根は水平面に対して傾斜させるのがよく、前記ケーシングの内面が滑らかで、水平面に対する羽根の傾斜角度を３０度以下に設定した場合には、旋回流形成板を吹き出し通路の下部に近い側に位置させて周壁と旋回流形成板の外周縁との隙間を最小にしたときに、カバーの下面から羽根の上縁までの距離を１５ｍｍ以下にするのが好ましい。当該距離をこれより大きい寸法にすると、吹き出し気流の旋回成分がケーシングの内面の摩擦損失によって減衰し、コアンダ効果を得られにくくなり、吹き出し気流の床面付着が生じにくくなる。ただし、旋回流形成板の構成はこれに限られるわけではない。
【００２７】
また、前記吹出口を、透孔を有するカバーによって覆うのが好ましい。
その場合には、上から見た時にカバーの透孔を同心円状の円弧形に形成するのが特に好ましい。このようにすると、旋回流形成板で生じた吹き出し気流の旋回成分が透孔によって減殺されることがないので、コアンダ効果による吹き出し気流の床面付着が有効に達成される。
【００２８】
これに対して、透孔をカバーの中央から放射状に形成すると、旋回流形成板で生じた吹き出し気流の旋回成分が透孔を通過する際に減殺され、その結果、コアンダ効果による吹き出し気流の床面付着が生じにくくなる。
【００２９】
カバーを設ける場合には、透孔の開口率（即ち、カバー総面積に対する透孔の総面積の比率）を４０％以上にするのが好ましい。また、吹出口から空調空気を吹き出している時にはカバーの中央近傍において室内空気を床吹き出し装置内に誘引する作用が働くので、カバーの中心側では、特に、カバーの中心から半径６０％の範囲の部分の開口率を大きくするのが好ましい。当該部分の開口率を小さくすると、水平方向に吹き出す気流と誘引気流が干渉して、コアンダ効果による吹き出し気流の床面付着が生じにくくなる。
【００３０】
また、カバーの透孔を形成している内面を鉛直面とした場合には、透孔の幅寸法ｓとカバーの厚さ（即ち、透孔の高さ）寸法ｈとの比を  ｓ／ｈ≧２．５  となるように設定するのがよい。この範囲を外れると、コアンダ効果が得られにくくなる。
【００３１】
また、前記移動機構を、前記ケーシングの内部に設けられてケーシングに固定された上下方向に延びるガイドピンと、このガイドピンを遊挿せしめる前記旋回流形成板に設けられたガイド孔と、前記ケーシングに回動自在に支持され外周面に雄ネジが形成されたネジロッドと、前記旋回流形成板の中央に設けられ前記ネジロッドの雄ネジに螺合するネジ孔と、から構成することができる。このようにすると、移動機構の構造が簡単になる。
【００３２】
このように構成された移動機構の場合には、ガイドピンとガイド孔との係合が旋回流形成板をケーシングに対して軸方向に移動可能で且つ回動不能にするので、ネジロッドをケーシングに対して回転すると、ネジロッドの雄ネジと旋回流形成板のネジ孔との螺子作用により、旋回流形成板をケーシングの内部で上下移動せしめることができる。
【００３３】
また、前記吹出口を、吹き出し孔を有するカバーで覆い、前記移動機構のネジロッドの下端を前記ケーシングの下部に回動自在に取り付け、ネジロッドの上端を前記カバーの中央に設けた孔に遊挿して露出させ、室内側からネジロッドを回動操作可能に構成することも可能である。このようにすると、旋回流形成板の上下位置調節の操作を、カバーを取り外すこともなく、室内側から簡単に行うことができる。
【００３４】
また、吹出口を前記カバーで覆った場合における移動機構の別の構成としては、例えば、ケーシングの底部に固定したガイドピンを旋回流形成板のガイド孔に遊挿し、カバーをケーシングに回動自在に取り付け、このカバーの下面中央に固定したネジロッドを下方に延ばし、旋回流形成板の中央に設けたネジ孔にネジロッドを螺合してもよい。この場合には、ガイドピンとガイド孔との係合により旋回流形成板とケーシングは軸方向に相対移動可能で且つ相対回動不能になり、したがって、ケーシングに対してカバーを回転すると、カバーとともにネジロッドが回転するので、旋回流形成板を上下動させることができる。
【００３５】
また、前記ケーシングの下部開口にフィルタを設けるのが好ましい。このようにすると、フィルタを通過した清浄な空調空気を室内に吹き出すことができる。
【００３６】
【発明の実施の形態】
以下、本発明に係る空調空気床吹き出し装置の実施の形態を図１から図１１の図面に基づいて説明する。
【００３７】
〔第１の実施の形態〕
初めに、第１の実施の形態について図１から図８に基づいて説明する。
図１は空調空気床吹き出し装置（以下、床吹き出し装置という）の縦断面図である。この図において、床１とフロア構造物Ｆとの間が空調空気の供給用チャンバ（以下、チャンバという）Ｃになっていて、このチャンバＣ内に空調空気が加圧供給される。
【００３８】
床１には所定の間隔おきに吹出口２が開口しており、この吹出口２には、略円錐筒状のケーシング１０が固定されている。ケーシング１０は上下を開口させており、上端には外方へ張り出す環状のフランジ部１１が設けられ、下端には空気流通開口１４を有する底板部１２が設けられていて、フランジ部１１の内周縁と底板部１２の外周縁が周壁１３によって連結されている。
【００３９】
このケーシング１０は、フランジ部１１を吹出口２周りの床面１ａに適宜手段により固定し、底板部１２及び周壁１３を吹出口２からチャンバＣ内に突出させて、床１に固定されている。
【００４０】
周壁１３は底板部１２からフランジ部１１に接近するにしたがって連続的に漸次拡径するテーパー状に形成されており、この周壁１３の内部が吹き出し通路１９になっている。
【００４１】
図４はケーシング１０の平面図であり、この図に示すように、底板部１２の中央には、４本の橋絡部１２ａを介して底板部１２の外周部１２ｂに連結されたリング部１２ｃが設けられており、橋絡部１２ａと外周部１２ｂとリング部１２ｃとの間が空気流通開口１４になっている。
【００４２】
そして、底板部１２の下面には空気流通開口１４を覆うようにフィルタ２０が取り付けられている。
また、互いに１８０度離間して配された２つの橋絡部１２ａの上面には、それぞれガイドピン１５が起立姿勢に固定されている。
【００４３】
ケーシング１０にはネジロッド３０が回転自在に取り付けられている。ネジロッド３０は外周面に雄ネジ３１ａが形成された軸部３１を有し、この軸部３１の下部に設けたストッパプレート３２をケーシング１０のリング部１２ａに載置し、ストッパープレート３２よりも下方の軸部３１を、リング部１２ａに設けた軸受孔１６に回動自在に遊挿し、リング部１２ａを貫通した軸部３１の下端に割りピン（図示せず）を装着することによって、ケーシング１０に対し軸方向へ移動不能で且つ周方向へ回転自在に取り付けられている。
【００４４】
軸部３１の上端には軸部３１よりも大径の円盤状のヘッド部３３が設けられており、ヘッド部３３の上面には硬貨やマイナスドライバー等が差し込めるように凹部３３ａが形成されている（図６参照）。
【００４５】
ケーシング１０の内部には、旋回流形成板４０が上下動可能に取り付けられている。図５は旋回流形成板４０の平面図であり、旋回流形成板４０は円形板状をなし、その外径はケーシング１０の底板部１２の外径よりも若干大きく設定されている。旋回流形成板４０には、その中央に貫通孔が設けられており、上面には前記貫通孔と同心上にナット４１が固定されている。ナット４１には、前記ネジロッド３０の雄ネジ３１ａが螺合可能なネジ孔４２が設けられている。
【００４６】
旋回流形成板４０には、空調空気を流通させる複数の略扇形の透孔４３が放射状に形成されている。この第１の実施の形態においては、この透孔４３を形成する内側円弧部と外側円弧部と径方向の２つの直線部のうち１つに切り込みを形成し、残りの直線部を折曲線としてこれを上方へ所望の角度（９０度未満）に折り曲げて、透孔４３が形成されている。そして、折り曲げられた略扇形の折片は、空調空気に旋回流を生じせしめる羽根４４を構成している。
【００４７】
また、旋回流形成板４０には、互いに１８０度離間する部位に前記ケーシング１０のガイドピン１５を遊挿せしめる２つのガイド孔４５が形成されている。
この旋回流形成板４０は、各ガイド孔４５にそれぞれガイドピン１５を遊挿させ、ナット４１のネジ孔４２にネジロッド３０の雄ネジ３１ａを螺合させて、ケーシング１０内に取り付けられている。
【００４８】
ガイドピン１５は旋回流形成板４０をケーシング１０に対して回動不能にし、且つ、上下動可能に案内する。したがって、ネジロッド３０を回転すると、雄ネジ３１ａとネジ孔４２のネジ作用により旋回流形成板４０がネジロッド３０の軸方向に移動し、これにより、ケーシング１０内における旋回流形成板４０の上下方向位置を変えることができる。この第１の実施の形態では、ガイドピン１５とガイド孔４５、及び、雄ネジ３１ａとネジ孔４２によって移動機構が構成されている。
【００４９】
ケーシング１０の上部にはカバー５０が固定されている。図６はカバー５０の平面図であり、カバー５０はケーシング１０のフランジ部１１とほぼ同外径の円盤状をなし、その外周部が適宜手段によりフランジ部１１に固定されている。
【００５０】
カバー５０には、空調空気を流通させる円弧形状の透孔５１が多数形成されている。また、カバー５０の中央には支持孔５２が開口しており、この支持孔５２に前記ネジロッド３０のヘッド部３３が回動自在に遊挿されている。ヘッド部３３はカバー５０の上面とほぼ面一に配されて露出しており、室内側からネジロッド３０を回転することができるようになっている。
【００５１】
このように構成された床吹き出し装置においては、図示しない空調機から床下のチャンバＣ内に加圧供給された空調空気は、フィルタ２０を通過して空気流通開口１４からケーシング１０内に流入し、更にカバー５０の透孔５１を通って室内に吹き出される。空調空気はフィルタ２０を通過する際にダスト等が除去され、清浄な空気が室内に供給される。
【００５２】
ところで、この床吹き出し装置においては、旋回流形成板４０の上下方向位置を変えることにより空調空気の吹き出し方向を微妙に変更することができる。これについて図２及び図３を参照して以下に詳述する。
【００５３】
旋回流形成板４０の上下方向位置を変更するには、室内側からネジロッド３０のヘッド部３３の凹部３３ａに硬貨やマイナスドライバー等の先端を差し込み、ネジロッド３０を適宜方向に回転することにより行う。
【００５４】
ケーシング１０の周壁１３がテーパー状に形成されているために、旋回流形成板４０のケーシング１０内における上下方向位置を変えると、周壁１３と旋回流形成板４０の外周縁との隙間寸法が変化する。即ち、旋回流形成板４０をケーシング１０の底板部１２に近い側に位置させた時には前記隙間寸法は小さくなり、カバー５０に近い側に位置させた時には前記隙間寸法は大きくなる。
【００５５】
図２は旋回流形成板４０をケーシング１０内において下方に位置せしめ、周壁１３と旋回流形成板４０の外周縁との隙間寸法を小さくした場合を示している。この場合には、旋回流形成板４０の透孔４３を通過した空調空気Ａ2は羽根４４によって旋回流となり、コアンダ効果により床面１ａに沿って放射状に流れる。また、前記隙間を通過し周壁１３に沿って上昇する空調空気Ａ1は、コアンダ効果の助けによって、床１から上方に噴出せずにカバー５０の透孔５１を通過した後に床面１ａに付着する如く床面１ａに沿って放射状に流れる。この吹き出し方向は、通常、暖房時に好んで用いられる。
【００５６】
図３は旋回流形成板４０をケーシング１０内において上方に位置せしめ、周壁１３と旋回流形成板４０の外周縁との隙間寸法を大きくした場合を示している。この場合には、前記隙間を通過し周壁１３に沿って上昇する空調空気Ａ3は、床１から上方に噴出する速度成分の大きさが空調空気Ａ2の水平方向の速度成分の大きさよりも遥かに大きいためコアンダ効果の影響を受けない。その結果、この空調空気Ａ3は、カバー５０の透孔５１を通過した後もそのまま上昇気流となって、床面１ａに対してほぼ垂直に流れる。また、旋回流形成板４０の透孔４３を通過した空調空気Ａ4は羽根４４によって旋回流となるが、この旋回流の空調空気Ａ4は、床面１ａに対してほぼ垂直に上昇する前記空調空気Ａ3と干渉してカバー５０の透孔５１を通過した後も旋回しながら床面１ａに対してほぼ垂直に流れる。この吹き出し方向は、通常、冷房時に好んで用いられる。
【００５７】
周壁１３と旋回流形成板４０の外周縁との隙間を通過し周壁１３に沿って上昇する空調空気に対するコアンダ効果の大きさは、結果として前記隙間の大きさによって変わる。したがって、ケーシング１０の底板部１２からの旋回流形成板４０の高さ寸法をどのように設定するかによって、カバー５０の透孔５１から室内に吹き出される空調空気の流れ方向を所望に設定することができる。
【００５８】
床吹き出し装置の出口抵抗係数をζ0、フィルタ２０の圧力損失をＰf0、空気の比重量をγ、重力加速度をｇ、基準吹き出し風速をＶ0、吹出口２の有効開口率をＲk、供給用チャンバＣの高さをＤ、供給用チャンバＣの長さをＬ、吹出口２のピッチをｐ、ケーシング１０の上端内径をｄとしたときに（図７及び図８参照）、次式で表す吹出口２の抵抗係数Ｋが、Ｋ≧１となるように前記各パラメータを設定することにより、各吹出口２間の吹き出し風量の不均一度をほぼ１０パーセント以下に抑えることが可能である。
【００５９】
Ｋ＝｛ζ0＋Ｐf0／（γ／２ｇ）／Ｖ02｝・｛（４／π・Ｒk）・（Ｄ／Ｌ）・（ｐ／ｄ）2｝2
【００６０】
〔第２の実施の形態〕
次に本発明における空調空気床吹き出し装置の第２の実施の形態を図９から図１３に基づいて説明する。
【００６１】
第２の実施の形態における空調空気床吹き出し装置が第１の実施の形態と相違する点は、主にケーシング６３の形状にある。
【００６２】
ケーシング６３は、図９に示すように、上下が開口して筒状をなす周壁６５と、この周壁６５の下部に配された底板部６７、を有している。この底板部６７には第１の実施の形態と同様に空気流通開口（図示せず）が設けられている。
【００６３】
周壁６５は上部に大径部６５ａと下部に小径部６５ｂを有し、前記大径部６５ａと前記小径部６５ｂとの境には段部６８が環状に設けられ、大径部６５ａと小径部６５ｂを連結している。大径部６５ａの上端には外側に張り出したフランジ部６９が環状に設けられており、小径部６５ｂの下端には外側に張り出したフランジ部７１が環状に設けられている。フランジ部６９の上面の略中央部には、図１０に示すように、上方に突出する凸部７５が周方向に所定のピッチで複数個設けられている。
【００６４】
このフランジ部６９にカバー５０が着脱可能に取り付けられている。カバー５０の外周部下面は前記凸部７５に係合する凹部７９が周方向に所定のピッチで複数個設けられている。このカバー５０の凹部７９にフランジ部６９の凸部７５を係合することにより、カバー５０がフランジ部６９から外れることを防止するとともに、カバー５０の回転を防止している。
【００６５】
一方、ケーシング６３の底板部６７は板状の円形をなし、この底板部６７の外縁には下方に突出した筒部７３が環状に設けられている。この筒部７３の外周壁と小径部６５ｂの内周壁とを連結して、底板部６７が周壁６５に固定されている。
【００６６】
この底板部６７に第１の実施の形態と同様のガイドピン１５とネジロッド３０が取り付けられている。ネジロッド３０のヘッド部３３の高さ寸法は第１の実施の形態のそれよりも大きく設定されており、カバー５０との接触部分を長くすることによりカバー５０がヘッド部３３から外れるのを防止している。ネジロッド３０のヘッド部３３の下部にはカバー５０の中央部を保持するためのカバー受け７７が設けられている。このカバー受け７７は平面視円盤状をなし、カバー受け７７の上面にカバー５０の下面を当接させて、カバー５０の中央部を保持する。
【００６７】
旋回流形成板４０のナット４１はネジロッド３０の雄ネジ３１ａに螺合しており、旋回流形成板４０は前記ガイドピン１５によりケーシング６３に対して回動不能且つ上下動可能に案内される。
【００６８】
従って、ネジロッド３０を回転することにより、旋回流形成板４０の外周部下面と段部６８との間の離間寸法Ｈを変化させることができる。旋回流形成板４０を下方に移動させ、旋回流形成板４０の外周部下面が前記段部６８に当接すると前記隙間寸法Ｈはゼロになる。また、大径部６５は一定内径の直管状をなし、旋回流形成板４０がいずれの位置にあっても旋回流形成板４０の外周縁下面と大径部６５との間に一定寸法の隙間７０が形成されるようになっている。
【００６９】
その他の構成については、第１の実施の形態と同様であるので、図中同一態様部分については同一符号を付して説明を省略する。
【００７０】
ところで、この第２の実施の形態においても第１の実施の形態と同様に旋回流形成板４０の上下方向位置を変えることにより空調空気の吹き出し量を微妙に変更することができる。これについて図１１及び図１２を参照して以下詳述する。
【００７１】
図１１は旋回流形成板４０をケーシング６３の段部６８に接触させた場合を示している。この場合には、旋回流形成板４０と周壁６５の段部６５ｃとの間の隙間寸法Ｈがゼロとなるので、空調空気は旋回流形成板４０の外周縁と大径部６５ａの内周壁との間の隙間７０を通ることはない。
【００７２】
従って、空調空気はその全てが旋回流形成板４０の透孔４３を通過して羽根４４に衝突しその向きを換えて旋回流となる。そして、この旋回流となった空調空気Ａ2が室内に噴出し、コアンダ効果により床面１ａに沿って放射状に広がる。
【００７３】
また、前記状態から旋回流形成板４０を上方に移動させて、この旋回流形成板４０と周壁６５の段部６５ｃとの間の隙間寸法Ｈを小さく設定すると、前記隙間７０を通る空調空気の風量が少さくなる。
【００７４】
この場合には、チャンバＣ内の空調空気はその殆どが旋回流形成板４０の透孔４３を通過して羽根４４に衝突しその向きを換えて旋回流となる。そして、この旋回流となった空調空気Ａ2が室内に噴出し、コアンダ効果により床面１ａに沿って放射状に広がる。また、前記隙間７０を通る空調空気は、その流量が少なく、前記旋回する空調空気Ａ2と干渉すると、水平方向の速度成分が大きくなる。その結果、隙間７０を通る空調空気は水平方向に向きを変え、さらに、コアンダ効果の助けにより床面１ａに沿って放射状に広がる。これらの吹き出し方向は、通常、暖房時に好んで用いられる。
【００７５】
一方、図１２に示すように、旋回流形成板４０をさらに上方に移動させた場合には、旋回流形成板４０の外周部下面と段部６８との間の離間寸法Ｈが大きくなる。この場合には、旋回流形成板４０の外周縁と大径部６５ａの内周壁との間の隙間７０を通過する空調空気Ａ3の風量の割合が増加し、この隙間７０を通った空調空気Ａ3が上方に噴出する。これと同時に旋回流形成板４０の透孔４３を通過した空調空気は羽根４４に衝突してその向きを換えて旋回流となり、旋回流となった空調空気Ａ4が室内に噴出する。
【００７６】
その後、この旋回流となって噴出する空調空気Ａ4は、前記垂直方向に噴出する空調空気Ａ3と干渉して旋回の径方向の拡がりを抑制されながら室内の上方に噴出する。この吹き出し方向は、通常、冷房時に好んで用いられる。
【００７７】
ケーシング６３の形状をテーパ状に形成せず、直管状に形成することにより、ケーシング６３内部に配された旋回流形成板４０を僅かに移動させるだけで、ケーシング６３と旋回流形成板４０との間に形成される大きな隙間７０を確保することができる。従って、旋回流形成板４０を僅かの移動で大きな隙間７０を確保できるので、空調空気床吹き出し装置の高さ寸法を低くすることができる。
【００７８】
尚、ケーシング６３におけるフランジ部６９とカバー５０の形状を図１３に示すようにしてもよい。即ち、フランジ部６９の外周縁を円弧状に形成し、フランジ部６９の上部内周に凹部８１を形成して、この凹部８１内にカバー５０を嵌合する。
【００７９】
【発明の効果】
以上説明したように、本発明によれば、吹き出し通路内に空調空気を旋回させる旋回流形成板を設け、この旋回流形成板を吹き出し通路の軸方向に沿って位置変更可能とし、吹き出し通路における旋回流形成板の位置により吹き出し通路の周壁と旋回流形成板との隙間寸法を変化させることにより、空調空気の吹き出し方向を所望に変えることができ、これにより、床吹き出しの空調空気のドラフト感を改善したり、温熱環境を改善したりすることが容易に可能となるという優れた効果が奏される。
【００８０】
また、テーパ状の周壁を備えたケーシングと、ケーシング内に軸方向移動可能に設置した旋回流形成板と、旋回流形成板をケーシングの軸方向へ移動せしめる移動機構とを備えた場合には、空調空気床吹き出し装置を簡単な構成にすることができるという効果がある。
【００８１】
また、ケーシングの周壁は大径の開口を備えた大径部と、この大径部の下部であってその内側に突出する段部と、この段部の内側に小径の開口を有し、前記旋回流形成板はその外周縁と大径部内壁面との間に隙間を有して該大径部内に収容され前記段部に対して接近離反可能に設けた場合には、空調空気床吹き出し装置の高さ寸法を小さくすることができるという効果がある。
【００８２】
旋回流形成板を、略径方向に複数形成された透孔の周縁に羽根を設けて構成した場合には、旋回流形成板の構造が簡単になるという効果がある。
吹出口を、透孔を有するカバーによって覆った場合に、透孔を平面視同心円状の円弧形に形成すると、旋回流形成板で生じた吹き出し気流の旋回成分が透孔によって減殺されることがないので、空調空気の吹き出し方向を効果的に変えることができるという効果がある。
【００８３】
移動機構を、ケーシングに固定された上下方向に延びるガイドピンと、旋回流形成板に設けられたガイド孔と、ケーシングに回動自在に支持されたネジロッドと、旋回流形成板の中央に設けられたネジ孔と、から構成すると、移動機構の構造が簡単になるという効果がある。
【００８４】
前記吹出口を、吹き出し孔を有するカバーで覆い、移動機構のネジロッドの下端をケーシングの下部に回動自在に取り付け、ネジロッドの上端をカバーの中央に設けた孔に遊挿して露出させ、室内側からネジロッドを回動操作可能に構成した場合には、旋回流形成板の上下位置調節の操作を、カバーを取り外すことなく室内側から簡単に行うことができるという効果がある。
【００８５】
ケーシングの下部開口にフィルタを設けた場合には、手間のかかる風量調整ダンパによる不均一度の改善作業をしなくても自動的に不均一度は改善され、かつ、フィルタを通過した清浄な空調空気を室内に吹き出すことができるという効果がある。
【図面の簡単な説明】
【図１】  本発明の空調空気床吹き出し装置の第１の実施の形態における縦断面図である。
【図２】  本発明の空調空気床吹き出し装置の第１の実施の形態において、旋回流形成板を吹き出し通路の下方に位置させた場合の空調空気床吹き出し状態を示す図である。
【図３】  本発明の空調空気床吹き出し装置の第１の実施の形態において、旋回流形成板を吹き出し通路の上方に位置させた場合の空調空気床吹き出し状態を示す図である。
【図４】  本発明の空調空気床吹き出し装置の第１の実施の形態におけるケーシングの平面図である。
【図５】  本発明の空調空気床吹き出し装置の第１の実施の形態における旋回流形成板の平面図である。
【図６】  本発明の空調空気床吹き出し装置の第１の実施の形態におけるカバーの平面図である。
【図７】  本発明の空調空気床吹き出し装置の床下チャンバの模式図である。
【図８】  本発明の空調空気床吹き出し装置の床下チャンバの縦断面図である。
【図９】  本発明の空調空気床吹き出し装置の第２の実施の形態における縦断面図である。
【図１０】  本発明の空調空気床吹き出し装置の第２の実施の形態におけるケーシングとカバーとの係合部の拡大断面図である。
【図１１】  本発明の空調空気床吹き出し装置の第２の実施の形態において、旋回流形成板を段部に当接させた場合の空調空気床吹き出し状態を示す図である。
【図１２】  本発明の空調空気床吹き出し装置の第２の実施の形態において、旋回流形成板を大径部内部の上部に位置させた場合の空調空気床吹き出し状態を示す図である。
【図１３】  本発明の空調空気床吹き出し装置の第２の実施の形態におけるケーシングとカバーとの係合部の変形例を示す拡大断面図である。
【符号の説明】
１  床
１ａ  床面
２  吹出口
１０，６３  ケーシング
１３，６５  周壁
１５  ガイドピン（移動機構）
１９  吹き出し通路
２０  フィルタ
３０  ネジロッド
３１ａ  雄ネジ（移動機構）
４０  旋回流形成板
４２  ネジ孔（移動機構）
４３  透孔
４４  羽根
４５  ガイド孔（移動機構）
５０  カバー
５１  透孔
６５ａ  大径部
６５ｂ  小径部（小径の開口）
６８  段部
Ｃ  供給用チャンバ
Ｈ  離間寸法
【図１】
0003752030.tif 000002
【図２】
0003752030.tif 000003
【図３】
0003752030.tif 000004
【図４】
0003752030.tif 000005
【図５】
0003752030.tif 000006
【図６】
0003752030.tif 000007
【図７】
0003752030.tif 000008
【図８】
0003752030.tif 000009
【図９】
0003752030.tif 000010
【図１０】
0003752030.tif 000011
【図１１】
0003752030.tif 000012
【図１２】
0003752030.tif 000013
【図１３】
0003752030.tif 000014